(57)【要約】【課題】正面から吸込口を介してケーシング内の熱交換器等が見えないようにする。【解決手段】内部に熱交換器２０、送風機２７等が設けられるケーシング３の前面側及び上面側にそれぞれ空気の吸込口１４、１７を有するパネル４、１６が装着され、ケーシング３の下面側に空気の吹出口１８が設けられる空気調和装置１であって、ケーシング３の前面側のパネル４を、ケーシング３の前面側の一部を開口させる内側壁部９と、内側壁部９によって形成される開口部６を覆うとともに、端部が内側壁部９の端部とパネル４の厚み方向に所定の間隔をもって重ね合わされ、かつ内側壁部９との間で開口部６に連通する吸込口１４、１４を形成する外側壁部１２とを備える。【選択図】　　　　図１
2004077015.tif 000002
【特許請求の範囲】
【請求項１】
内部に熱交換器、送風機等が設けられるケーシングの前面側及び上面側にそれぞれ空気の吸込口を有するパネルが装着され、ケーシングの下面側に空気の吹出口が設けられる空気調和装置であって、前記ケーシングの前面側のパネルは、ケーシングの前面側の一部を開口させる内側壁部と、内側壁部によって形成される開口部を覆う外側壁部とを備え、当該外側壁部の端部は、前記内側壁部の端部とパネルの厚み方向に所定の間隔をもって重なり合い、前記内側壁部との間で前記開口部に連通する吸込口を形成することを特徴とする空気調和装置。
【請求項２】
請求項１に記載の空気調和装置であって、前記内側壁部の端部は、前記外側壁部の裏側に回り込むように構成され、又は前記外側壁部の端部は、前記内側壁部の裏側に回り込むように構成されていることを特徴とする空気調和装置。
【請求項３】
請求項１又は２に記載の空気調和装置であって、前記吸込口は、その入口部から内方に向かって順次流路断面積が大きくなる形状に形成されていることを特徴とする空気調和装置。
【請求項４】
請求項１から３の何れかに記載の空気調和装置であって、前記吸込口を構成する前記内側壁部及び前記外側壁部は、それらの間に内接する仮想内接円の直径が吸込口の入口部から内方に向かって順次大きくなる湾曲形状に形成されていることを特徴とする空気調和装置。
【請求項５】
請求項１から３の何れかに記載の空気調和装置であって、前記吸込口を構成する前記内側壁部と前記外側壁部との間に、両者間を一体に連結するリブを複数設けたことを特徴とする空気調和装置。
【請求項６】
内部に設けられた熱交換器における熱交換のために室内気を導入する吸込口を備えるパネルを有する空気調和装置において、前記パネルは第一の壁部と第二の壁部を備え、前記吸込口を介して前記パネル表面側と裏面側と連通させる空気流路は、前記第一の壁部の端部の内壁面と、当該第一の壁部の端部の内壁面に沿って延設された前記第二の壁部の端部の外壁面とにより形成されることを特徴とする空気調和装置。
【請求項７】
請求項５に記載の空気調和装置において、前記第二の壁部は、前記パネルの長手方向に沿って設けられた一対の流路形成壁部から構成されるものであって、それぞれの流路成形壁部が形成する空気流路は、異なる吸込口を介して連通することを特徴とする空気調和装置。
【請求項８】
請求項６又は請求項７に記載の空気調和装置において、前記パネルは、前記パネルの側面側と裏面側とを連通させる第二の吸込口を有し、当該第二の吸込口は、前記パネルの長手方向に沿うように当該パネルの側面側に設けられることを特徴とする空気調和装置。
【発明の詳細な説明】
【０００１】
【発明の属する技術分野】
本発明は、空気調和装置に関し、特に、ケーシングの前面のパネルがフラット形状に形成されるタイプの空気調和装置に関するものである。
【０００２】
【従来の技術】
空気調和装置の一例として、図５に示すように、室内ユニット３６のケーシング３７の内部に熱交換器４０、送風機４５等を設け、ケーシング３７の前面側のパネル３８及び上面側のパネル４６に複数のスリットからなるグリル状の空気の吸込口３９、４７を設け、ケーシング３７の下面側に空気の吹出口４８を設けたものが一般に知られている。
【０００３】
このような構成の空気調和装置３５にあっては、送風機４５を作動させて吸込口３９、４７から室内の空気をケーシング３７内に吸い込み、熱交換器４０で熱交換して吹出口４８から室内に吹き出させることにより、室内を冷房、暖房又は除湿することができるものである。
【０００４】
【発明が解決しようとする課題】
ところで、上記のような構成の空気調和装置３５にあっては、ケーシング３７の前面側のパネル３８の吸込口３９が複数のスリットからなるグリル状に形成され、しかも、内部が正面から見えなくするためにスリットの間隔が狭く形成されているため、清掃に非常に手間がかかるものである。
【０００５】
一方、上記のような問題を解決するため、図６に示すように、ケーシング３７の前面側のパネル３８の一部をフラット形状に形成した空気調和装置５１が提案されている。このような構成の空気調和装置５１にあっては、複数のスリットからなるグリル状の吸込口３９の占める割合が少ないために、図５に示すものよりは清掃が容易なものである。
【０００６】
しかしながら、グリル状の吸込口３９の割合を少なくしているため、その分だけフラット形状の部分とグリル状の部分との間に有効断面積の大きな吸込口４９を設けなければならない。このため、吸込口４９とユーザの視点の位置関係によっては、フィルタなどの内部構造物が見えてしまうという不都合があった。特に、店頭等で陳列した場合に、陳列の高さによっては吸込口４９から内部の熱交換器４０等見えてしまい、商品価値を著しく低下させてしまうことがある。
【０００７】
本発明は、上記のような従来の問題に鑑みなされたものであって、吸込空気流量を担保しつつ外部から内部構造を見えにくくする装置を提供すること、さらには、店頭等で陳列した場合であっても、陳列高さによって吸込口から内部が見えてしまうようなことはなく、本来の商品価値を提供することができる空気調和装置を提供することを目的とするものである。
【０００８】
【課題を解決するための手段】
本発明は、上記のような課題を解決するために、以下のような手段を採用している。すなわち、請求項１に係る発明は、内部に熱交換器、送風機等が設けられるケーシングの前面側及び上面側にそれぞれ空気の吸込口を有するパネルが装着され、ケーシングの下面側に空気の吹出口が設けられる空気調和装置であって、前記ケーシングの前面側のパネルは、ケーシングの前面側の一部を開口させる内側壁部と、内側壁部によって形成される開口部を覆う外側壁部とを備え、当該外側壁部の端部は、前記内側壁部の端部とパネルの厚み方向に所定の間隔をもって重なり合い、前記内側壁部との間で前記開口部に連通する吸込口を形成することを特徴とする。
この発明による空気調和装置によれば、ケーシングの前面側のパネルの内側壁部の端部と外側壁部の端部とは、パネルの厚み方向に所定の間隔をもって重なり合い、この重なり合った部分にケーシングの前面側の開口部に連通する吸込口が形成され、この吸込口を介して空気がケーシング内に吸い込まれることになる。
この場合、内側壁部の端部と外側壁部の端部とが重なり合うことにより、正面側から吸込口を介してケーシングの内部が見えるようなことはない。
【０００９】
請求項２に係る発明は、請求項１に記載の空気調和装置であって、前記内側壁部の端部は、前記外側壁部の裏側に回り込むように構成され、又は前記外側壁部の端部は、前記内側壁部の裏側に回り込むように構成されていることを特徴とする。
この発明による空気調和装置によれば、内側壁部の端部は外側端部の裏側に回り込み、又は外側壁部の端部は内側壁部の裏側に回り込んでいるので、正面側から内側壁部と外側壁部との間に形成される吸込口が見えるようなことはなく、吸込口を介してケーシングの内部が見えるようなことはない。
【００１０】
請求項３に係る発明は、請求項１又は２に記載の空気調和装置であって、前記吸込口は、その入口部から内方に向かって順次流路断面積が大きくなる形状に形成されていることを特徴とする。
この発明による空気調和装置によれば、吸込口からケーシング内に吸い込まれる空気に圧力損失が生じることはないものである。
【００１１】
請求項４に係る発明は、請求項１から３に記載の空気調和装置であって、前記吸込口を構成する前記内側壁部及び前記外側壁部は、それらの間に内接する仮想内接円の直径が吸込口の入口部から内方に向かって順次大きくなる湾曲形状に形成されていることを特徴とする。
この発明による空気調和装置によれば、吸込口からケーシング内に吸い込まれる空気に圧力損失が生じることはないものである。
【００１２】
請求項５に係る発明は、請求項１から３の何れかに記載の空気調和装置であって、前記吸込口を構成する前記内側壁部と前記外側壁部との間に、両者間を一体に連結するリブを複数設けたことを特徴とする。
この発明による空気調和装置によれば、内側壁部と外側壁部との間に形成される吸込口の流路断面積を所定の値に保持することができることになる。
【００１３】
請求項６に係る発明は、内部に設けられた熱交換器における熱交換のために室内気を導入する吸込口を備えるパネルを有する空気調和装置において、前記パネルは第一の壁部と第二の壁部を備え、前記吸込口を介して前記パネル表面側と裏面側と連通させる空気流路は、前記第一の壁部の端部の内壁面と、当該第一の壁部の端部の内壁面に沿って延設された前記第二の壁部の端部の外壁面とにより形成されることを特徴とする。
この発明によれば、パネル表面側と裏面側と連通させる空気流路は、前記第一の壁部の端部の内壁面と、当該第一の壁部の端部の内壁面に沿って延設された前記第二の壁部の端部の外壁面とにより形成されるので、空気調和装置を壁掛けするように設置した場合に内部を覗くことができる領域を減少させることができる。
【００１４】
請求項７に係る発明は、請求項５に記載の空気調和装置において、前記第二の壁部は、前記パネルの長手方向に沿って設けられた一対の流路形成壁部から構成されるものであって、それぞれの流路成形壁部が形成する空気流路は、異なる吸込口を介して連通することを特徴とする。
この発明によれば、一対の流路形成壁部が形成する空気流路は、異なる吸込口を介して連通するので、内部を覗くことができる角度が分散されるとともに、特定の一方向から見た場合に内部を覗くことができる開口面積を少なくすることができる。
【００１５】
請求項８に係る発明は、請求項６又は請求項７に記載の空気調和装置において、前記パネルは、前記パネルの側面側と裏面側とを連通させる第二の吸込口を有し、当該第二の吸込口は、前記パネルの長手方向に沿うように当該パネルの側面側に設けられることを特徴とする。
この発明によれば、パネルの側面側と裏面側とを連通させる第二の吸込口を有し、当該第二の吸込口は、前記パネルの長手方向に沿うように当該パネルの側面側に設けられるので、内部構造を見えにくいようにする構造を実現するとともに、全吸込み量を向上させ、結果、運転効率を向上させることができる。
【００１６】
【発明の実施の形態】
以下、本発明にかかる空気調和装置の実施形態の一例を図１乃至図３に基づき説明する。
図１乃至図３に示したように、本発明にかかる空気調和装置１は、室内ユニット２と室外ユニット（図示せず）とを備えており、両ユニットは冷媒配管（図示せず）を介して相互に接続されている。
【００１７】
そして、本発明にかかる空気調和装置１は、内部に設けられた熱交換器２０における熱交換のために室内気を導入する吸込口１４を備えるパネル４を有し、このパネル４は、第一の壁部１２と第二の壁部９を備える。ここで、吸込口１４を介してパネル４表面側と裏面側と連通させる空気流路は、第一の壁部１２の端部１１ａの内壁面と、第一の壁部１２の端部１１ａの内壁面に沿って延設された第二の壁部９の端部７ａの外壁面とにより形成される。
【００１８】
また、第二の壁部９は、パネル４の幅方向に上下に対をなして離間し、かつパネル４の長手方向に沿って設けられた、流路形成壁部としての上部内側壁部７および下部内側壁部８によって構成されるものであって、上部内側壁部７および下部内側壁部８が形成する空気流路は、異なる吸込口１４，１４を介して連通する構成とされている。
【００１９】
さらに、パネル４は、パネル４の側面側と裏面側とを連通させる第二の吸込口２２を有し、第二の吸込口２２は、パネル４の長手方向に沿うようにパネル４の側面側に設けられる構成としてもよい。
【００２０】
以下、より具体的に、上述した空気調和装置１について説明する。
室内ユニット２は、図１に示すように、図中鉛直方向に沿う方向に対して横長の箱形状に形成されるケーシング３内に熱交換器２０、送風機２７等を設ける構成としたものである。ケーシング３は、室内ユニット２を室内に設置した際を基準として、前面側及び上面側にそれぞれパネル４及びパネル１６を備える。詳細には、パネル４及びパネル１６は、ケーシング３に対して着脱自在に装着可能な構成を採用する。各パネル４、１６は、それぞれケーシング３内外を貫通する吸込み空気流路となる空気の吸込口１４、１７を有する。
【００２１】
また、ケーシング３は、下面前方側にケーシング３内外を貫通する吹出し空気流路となる空気の吹出口１８を有する。吹出口１８にはフラップ１９が回動自在に設けられ、このフラップ１９により吹出口１８からの空気の吹き出し量及び吹き出し方向を調整する。
【００２２】
ケーシング３の前面側に装着されるパネル４は、図３に示すように、長方形板状の基板５と、対称位置に配される一対の上部外側壁部１１と上部中央外側壁部となる別部材のセンターパネル２１とから構成される。ここで、基板５は、中央部に長方形状の開口部６を備えるものである。そして、この開口部６におけるパネル４の長手方向に沿った縁部、すなわち開口部６の幅方向の両縁部には、流路形成壁部としての上部内側壁部７と下部内側壁部８が設けられる。この上部内側壁部７と下部内側壁部８は、開口部６の幅方向の両縁部に一体に成形され、両縁部から開口部６の中央部方向に延出し、かつ基板５の裏面方向に湾曲形状に凹む形状に形成される。加えて、基板５の開口部６の長手方向の両端部には、開口部６の中央部を全長に渡って覆う長方形板状の下部外側壁部１０を設ける。ただし、下部外側壁部１０は、基板５と一体に成形されることが好ましい。また、上部外側壁部１１は、下部外側壁部１０の図中上部（図３参照）に設けられるが、下部外側壁部１０よりも大幅に形成される。これにより、図２に示したように、幅方向の両端部が上部内側壁部７及び下部内側壁部８の端部とパネル４の厚み方向に所定の間隔をおいて重ね合わされる構成となる。
【００２３】
本実施形態においては、上部内側壁部７と下部内側壁部８とによって内側壁部９が構成され、上部外側壁部１１と下部外側壁部１０とによって外側壁部１２が構成される。なお、上述したパネル４の厚み方向における所定の間隔は、下部外側壁部１０と両内側壁部７、８との間に、所定の間隔ごとに複数のリブ１３を一体に設けることにより形成される。
【００２４】
以上説明したように、本実施形態では、パネル４を構成する基板５に、パネル４の表面に対して凹む方向に延設させた第二の壁部としての内側壁部９により縁部が形成される内部開口となる開口部６を形成し、この開口部６が直接外部に開口するのを遮断する目隠しとして機能する第一の壁部としての外側壁部１２を内部開口となる開口部６を覆うように設け、内部開口に通じる空気流路の開口方向が内側壁部９の壁面に沿った方向となる構成を採用する。これにより、外側壁部１２の端部と上部内側壁部７の端部との重合部、及び外側壁部１２の端部と下部内側壁部８の端部との重合部に、開口部６に連通する吸込口１４、１４がそれぞれ設けられる構成が実現される。
【００２５】
すなわち、パネル４における、吸込口１４を構成する上部内側壁部７の端部、及び下部内側壁部８の端部は、それぞれ外側壁部１２の裏側に回り込み、前面側のパネル４を正面側から見た場合に、正面側から吸込口１４、１４を見えなくしている。
【００２６】
また、図２に示すように、吸込口１４を構成する上部内側壁部７及び外側壁部１２は、吸込口１４の入口部から内方に向かって順次流路断面積が大きくなる形状、すなわち、入口部から内方に向かって上部内側壁部７と外側壁部１２との間に内接する仮想内接円１５の直径が順次大径となる湾曲形状に形成される。これにより、吸込口１４から吸い込まれる空気に圧力損失が生じるのを防止できる。
【００２７】
同様に、吸込口１４を構成する下部内側壁部８及び外側壁部１２は、吸込口１４の入口部から内方に向かって順次流路断面積が大きくなる形状、すなわち、入口部から内方に向かって下部内側壁部８と外側壁部１２との間に内接する仮想内接円の直径が順次大きくなる湾曲形状に形成され、吸込口１４から吸い込まれる空気に圧力損失が生じるのを防止している（図２参照）。
【００２８】
さらに、上部内側壁部７と外側壁部１２との間、及び下部内側壁部８と外側壁部１２との間には、全幅に渡って所定の間隔ごとにそれらの間を一体に連結するリブ１３が設けられ、このリブ１３により吸込口１４の流路断面積が所定の値に保持されている。
【００２９】
なお、吸込口１４を介した吸込み量を向上させ、または補填するために、本実施形態では、図１に示したように、パネル４の側面側、壁掛け式に設置した場合に上面側になる方向に開口した第二の吸込口２２となる開口部を設けている。具体的には、図中鉛直方向に沿った方向に細長く開口する構成とし、前述したパネル長手方向に沿う方向に配設された吸込口１４と並設することにより、統一感を維持しつつ、吸込み流量を担保する機能を両立させている。
【００３０】
熱交換器２０は、ケーシング３内の上部前方側に設けられる上側熱交換器２３と、ケーシング３内の上部後方側に設けられる後側熱交換器２４と、ケーシング３内の上側熱交換器の下方に設けられる下側熱交換器２５とからなるものであって、これらの３つの熱交換器２３，２４，２５は、パイプ（図示せず）を介して相互に接続されている。
【００３１】
ケーシング３内の中央部、すなわち上側熱交換器２３、後側熱交換器２４及び下側熱交換器２５によって囲まれる空間は、吹出路２６を介して吹出口１８に連通し、この吹出路２６の上端開口部に送風機２７が設けられている。
【００３２】
室内送風機２７は、吹出路２６の上端開口部に回転自在に設けられるクロスフローファン２８と、ケーシング３の横方向の端部に設けられるファンモータ（図示せず）とからなるものであって、ファンモータを作動させてクロスフローファン２８を回転駆動させることにより、前述した外側壁部１２と内側壁部９で形成される空気流路を通してケーシング３の吸込口１４から、吸込口２２から、または吸込口１７からケーシング３内に室内の空気を吸い込み、吹出口１８からケーシング３外に吹き出させることができるものである。
【００３３】
そして、上記のように構成したこの実施の形態による空気調和装置１の運転を開始すると、送風機２７のファンモータが作動してクロスフローファン２８が回転駆動し、前面側のパネル４の吸込口１４、１４及び上面側のパネル１６の吸込口１７からケーシング３内に室内の空気が吸い込まれ、熱交換器２０で熱交換されて吹出路２６から吹出口１８を介してケーシング３外に吹き出され、室内が冷房、暖房、除湿されるものである。
【００３４】
上記のように構成したこの実施の形態による空気調和装置１にあっては、前面側のパネル４の吸込口１４、１４は、上部内側壁部７と外側壁部１２との間、及び下部内側壁部８と外側壁部１２との間にそれぞれ形成され、この場合、両内側壁部７、８の端部は外側壁部１２の裏側に回り込んでいるので、パネル４の正面側から吸込口１４、１４が見えるようなことはない。従って、吸込口１４、１４を介してケーシング３内の熱交換器２０等が見えるようなことはないので、店頭等に陳列した場合に、陳列の高さによって吸込口１４、１４からケーシング３内の熱交換器２０等が見えてしまうようなことはなく、本来の商品価値を提供することができるものである。
【００３５】
また、吸込口１４、１４を構成する両内側壁部７、８及び外側壁部１２は、吸込口１４、１４の入口部から内方に向かって順次流路断面積が大きくなる形状、すなわち、入口部から内方に向かって両内側壁部７、８と外側壁部１２との間に内接する仮想内接円１５の直径が順次大径となる湾曲形状に形成されているので、吸込口１４、１４から吸い込まれる空気に圧力損失が生じることはなく、吸込口１４、１４を介して効率良く熱交換器２０側に空気を導くことができるものである。この場合、両内側壁部７、８と外側壁部１２との間には複数のリブ１３が一体に設けられているので、所定の流路断面積を確保することができ、所定の流量の空気を確実に熱交換器２０側に導くことができることになる。
【００３６】
加えて、パネル４表面側と裏面側と連通させる空気流路は、第一の壁部１２の端部の内壁面と、第一の壁部１２の端部１１ａの内壁面に沿って延設された第二の壁部９の端部７ａ，８ａの外壁面とにより形成されるので、空気流路を形成する壁部９，１２が、パネル４表面側から見て各々の壁部の端部７ａ，８ａ，１１ａが相互に重なり合う領域を形成できる。これにより、表面側から内部を見るには、第一の壁部１２の内壁面の鉛直方向よりも内側の鋭角をなすように端部開口Ｂが形成されるので、端部と端部を結ぶ仮想線Ｃよりも、よりパネル４表面に近づいた領域に入らなければならず、結果、空気調和装置１を壁掛けするように設置した場合に内部を覗くことができる領域を減少させることができる。
【００３７】
さらに、一対の流路形成壁部となる内側壁部７，８が形成する空気流路は、異なる箇所に開口した吸込口１４，１４を介して連通するので、内部を覗くことができる角度が分散されるとともに、特定の一方向から見た場合に内部を覗くことができる開口面積を少なくすることができる。
【００３８】
また、パネル４の側面側と裏面側とを連通させる第二の吸込口となる開口部２２を有することにより、第二の吸込口２２は、パネル４の長手方向に沿うようにパネル４の側面側に設けられるので、内部構造を見えにくいようにする構造を実現するとともに、全吸込み量を向上させ、結果、運転効率を向上させることができる。
【００３９】
なお、前述した実施形態においては、上部内側壁部７の端部及び下部内側壁部８の端部を外側壁部１２の裏面側に回り込ませたが、その変形例として、図４に示すように、上部壁部３０及び下部壁部３１の裏面側に壁部３２の端部を回り込ませるように構成しても良いものであり、その場合にも同様の作用効果を奏するものである。なお、本変形例においては、前述した第一の壁部が開口部３３を形成する壁部３０，３１となり、第二の壁部が開口部３３を覆う壁部３２となる。
【００４０】
また、前述した実施形態においては、前面側のパネル４に２つの吸込口１４、１４を設けたが、１つ又は３つ以上の吸込口（図示せず）を設けても良いものであり、その場合にも、同様の作用効果を奏するものである。
【００４１】
【発明の効果】
以上、説明したように、本発明の請求項１に記載の空気調和装置によれば、ケーシングの前面側のパネルの内側壁部の端部と外側壁部の端部とは、パネルの厚み方向に所定の間隔をもって重合され、この重合された部分にケーシングの前面側の開口部に連通する吸込口が形成されることになるので、前面側のパネルの正面側から吸込口が見えることはなく、吸込口を介してケーシングの内部の熱交換器等が見えるようなことはない。従って、店頭等に陳列した場合に、吸込口からケーシング内の熱交換器等が見えてしまって商品価値を低下させるようなことはなく、本来の商品価値を提供することができるものである。
【００４２】
また、請求項２に記載の空気調和装置によれば、内側壁部の端部は外側端部の裏側に回り込み、又は外側壁部の端部は内側壁部の裏側に回り込む構成となっているので、前面側のパネルの正面側から内側壁部と外側壁部との間に形成される吸込口が見えるようなことはなく、吸込口を介してケーシングの内部が見えるようなことはない。従って、店頭等に陳列した場合に、吸込口からケーシング内の熱交換器等が見えてしまって商品価値を低下させるようなことはなく、本来の商品価値を提供することができるものである。
【００４３】
さらに、請求項３に記載の空気調和装置によれば、吸込口は、流路断面積が入口部から内方に向かって順次大きくなるような形状に形成されているので、吸込口からケーシング内に吸い込まれる空気に圧力損失が生じることはなく、所定量の空気を効率良くケーシング内の熱交換器側に供給することができ、効率良く室内を冷房、暖房、又は除湿することができるものである。
【００４４】
さらに、請求項４に記載の空気調和装置によれば、吸込口を構成する内側壁部及び外側壁部は、それらの間に内接する仮想内接円の直径が吸込口の入口部から内方に向かって順次大径となる湾曲形状に形成されているので、吸込口からケーシング内に吸い込まれる空気に圧力損失が生じることはなく、所定量の空気を効率良くケーシング内の熱交換器側に供給することができ、効率良く室内を冷房、暖房、又は除湿することができるものである。
【００４５】
さらに、請求項５に記載の空気調和装置によれば、吸込口を構成する内側壁部と外側壁部との間は複数のリブによって一体に連結されているので、吸込口の流路断面積を所定の値に保持することができることになる。従って、常に所定の流量の空気をケーシング内の熱交換器側に供給することができ、効率良く室内を冷房、暖房又は除湿することができるものである。
【００４６】
さらに、請求項６に係る発明によれば、パネル表面側と裏面側と連通させる空気流路は、前記第一の壁部の端部の内壁面と、当該第一の壁部の端部の内壁面に沿って延設された前記第二の壁部の端部の外壁面とにより形成されるので、空気調和装置を壁掛けするように設置した場合に内部を覗くことができる領域を減少させることができる。
【００４７】
さらに、請求項７に係る発明によれば、一対の流路形成壁部が形成する空気流路は、異なる吸込口を介して連通するので、内部を覗くことができる角度が分散されるとともに、特定の一方向から見た場合に内部を覗くことができる開口面積を少なくすることができる。
【００４８】
さらに、請求項８に係る発明によれば、パネルの側面側と裏面側とを連通させる第二の吸込口を有し、当該第二の吸込口は、前記パネルの長手方向に沿うように当該パネルの側面側に設けられるので、内部構造を見えにくいようにする構造を実現するとともに、全吸込み量を向上させ、結果、運転効率を向上させることができる。
【図面の簡単な説明】
【図１】本発明による空気調和装置の一実施の形態を示した概略縦断面図である。
【図２】図１におけるＡ領域の部分拡大図である。
【図３】図１の前面側のパネルの分解図である。
【図４】本発明にかかる空気調和装置の変形例を示した概略図である。
【図５】従来の空気調和装置の一例を示した概略縦断面図である。
【図６】図５に示した空気調和装置に対する一提案を示した概略縦断面図である。
【符号の説明】
１　空気調和装置
３　ケーシング
４、１６　パネル
６　開口部
９　内側壁部（第二の壁部）
１２　外側壁部（第一の壁部）
１３　リブ
１４、１７　吸込口
１５　仮想内接円
１８　吹出口
２０　熱交換器
２７　送風機
【図１】
2004077015.tif 000003
【図２】
2004077015.tif 000004
【図３】
2004077015.tif 000005
【図４】
2004077015.tif 000006
【図５】
2004077015.tif 000007
【図６】
2004077015.tif 000008